(57)【特許請求の範囲】
【請求項１】
主光源と、
前記主光源を覆うランプシェードと、
前記ランプシェード上にあって、前記ランプシェードに沿う方向に移動自在に前記ランプシェードに取付けられて、移動とともに照射方向が変化する副光源と、
前記副光源を前記ランプシェードに沿って移動させるアクチュエータを備え、
前記副光源の照射方向は鉛直方向と水平方向の間で変化する室内照明用照明器具。
【請求項２】
前記アクチュエータを制御して、前記副光源を所望の位置に移動させる制御装置を備える
ことを特徴とする請求項１に記載の室内照明用照明器具。
【請求項３】
前記制御装置は、遠隔操作器から発信される遠隔操作信号を受信する遠隔操作信号受信手段を備える
ことを特徴とする請求項２に記載の室内照明用照明器具。
【請求項４】
前記副光源は、発光ダイオードである
ことを特徴とする請求項１ないし請求項３のいずれか１項に記載の室内照明用照明器具。
【発明の詳細な説明】
【技術分野】
【０００１】
本発明は、室内照明用照明器具、特に副光源を備える室内照明用照明器具に関する。
【背景技術】
【０００２】
主光源に加えて副光源を備える室内照明用照明器具が各種提案されている。例えば、特許文献１には、主光源と、前記主光源と異なる方向を照射する副光源を備えて、前記副光源の照射方向を可変にした照明器具が提案されている。
【０００３】
特許文献１で提案された照明器具は、副光源の光を主光源と異なる方向に照射するので、室内にいる人間がまぶしさを感じることがない。また副光源から照射された光を間接照明として利用して、雰囲気のよい照明効果を得ることができる。
【０００４】
また、特許文献２には、照明器具本体の周縁部に、内蔵された発光素子の光を透過する透光部を有する発光ユニットを配置して、前記透光部の移動によって前記発光ユニットの照射方向を変えるようにした室内照明用照明器具が提案されている。
【０００５】
特許文献２の室内照明用照明器具は、発光ユニットの照射方向、発光色を変化させ、さらに発光ユニットを点滅させることによって、装飾性に優れた照明を演出することができる。
【０００６】
【特許文献１】特開２００５−１８３０３５号公報
【特許文献２】特開２００８−１６４１０号公報
【発明の開示】
【発明が解決しようとする課題】
【０００７】
特許文献１あるいは特許文献２で提案された照明器具は、副光源の照射方向を調整して、室内の雰囲気を演出することができる。しかし、前記副光源の照射方向を調整できる範囲は限られているので、室内の雰囲気の演出の自由度には限界がある。
【０００８】
本発明は、このような背景に鑑みてなされたものであり、副光源の照射方向を広範囲に調整できる室内照明用照明器具を提供することを目的とする。
【課題を解決するための手段】
【０００９】
本発明に係る室内照明用照明器具は、主光源と、前記主光源を覆うランプシェードと、前記ランプシェード上にあって、前記ランプシェードに沿う方向に移動自在に前記ランプシェードに取付けられて、移動とともに照射方向が変化する副光源と、前記副光源を前記ランプシェードに沿って移動させるアクチュエータを備え、前記副光源の照射方向は鉛直方向と水平方向の間で変化するものである。
【発明の効果】
【００１０】
本発明の室内照明用照明器具は、副光源をランプシェード上で自在に移動させて、前記副光源の照射方向を広範囲に調整することができるので、室内の雰囲気を自在に演出することができる。
【発明を実施するための最良の形態】
【００１１】
以下、本発明を実施するための最良の形態について説明する。
【００１２】
図１は、本発明に係る室内照明用照明器具の外形図であり、一部を断面図示するものである。
【００１３】
図１に示すように、室内照明用照明器具１は天井２から吊り下げるペンダント型の照明器具であって、主光源である蛍光ランプ３と、蛍光ランプ３の上方を覆うランプシェード４を有する。また、ランプシェード４の上方には、点灯制御回路（不図示）を収容するケーシング５を備えている。前記点灯制御回路には天井２に設けられた配線器具６から電力が供給されて、蛍光ランプ３を点灯する。
【００１４】
ランプシェード４は、天井２方向に向かう蛍光ランプ３の光を反射して下方（床方向）に向ける略半球型の覆いである。また、ランプシェード４の外側には複数のレール７が、ランプシェード４の下縁から頂部に向けて固定されている。
【００１５】
レール７には、副光源である発光ダイオード８が滑動自在に取付けられている。発光ダイオード８も前記点灯制御回路から電力を供給されて点灯する。またレール７の下方、ランプシェード４の内側には、アクチュエータ９が備えられている。発光ダイオード８はアクチュエータ９で駆動されて、レール７に沿って移動する。また、アクチュエータ９は前記点灯制御回路で制御され、前記点灯制御回路は図示しない遠隔操作器から発信される遠隔操作信号を受信する遠隔操作信号受信器を備える。つまり、発光ダイオード８は、前記遠隔操作器で操作されて、レール７上の所望の位置に移動する。
【００１６】
なお、アクチュエータ９の種類や形式は限定されない。リニアモータを利用してもよいし、回転モータとラック・ピニオン機構を組み合わせてもよい。あるいは、ベルト・プーリ機構を利用してもよい。
【００１７】
ランプシェード４は略半球形をなしているので、発光ダイオード８がランプシェード４の下縁にあるときに、発光ダイオード８が水平方向を照射するように取り付けて、発光ダイオード８をランプシェード４の下縁から頂部に向けて動かすと、発光ダイオード８の照射方向は次第に上を向き、頂部に至ると鉛直方向を向く（図２参照）。
【００１８】
このように、室内照明用照明器具１は、発光ダイオード８をランプシェード４の下縁から頂部の間で移動させて、発光ダイオード８の照射方向を水平から垂直の間で自在に選ぶことができる。
【００１９】
また、発光ダイオード８を所望の位置で停止させるだけでなく、発光ダイオード８を常時動かしても良い。例えば、その音楽に合わせて、発光ダイオード８が動くようにしてもよい。
【００２０】
また、発光ダイオード８の点滅及び光量も、前記点灯制御回路で制御される。光色の異なる複数の発光ダイオード８を室内照明用照明器具１に取り付けて、その照射方向、点滅、光量をそれぞれ制御すれば、装飾性、演出性が更に向上する。
【００２１】
本実施形態では、レール７をランプシェード４の下縁から頂部に向かう大円に沿って配置して、発光ダイオード８がランプシェード４の下縁から頂部に向かって移動するように構成した例を示したが、レール７の方向（発光ダイオード８の移動方向）は、これに限られない。例えば、発光ダイオード８をランプシェード４の外周に沿った水平な円軌道を移動するようにしてもよいし、ランプシェード４の下縁から頂部に向かう螺旋状の軌道に沿って発光ダイオード８が移動するように構成してもよい。
【００２２】
また、本実施形態では、主光源に蛍光ランプ３、副光源に発光ダイオード８を使用しているが、本発明はこれらに限定される物ではない。主光源及び副光源に白熱灯を使用してもよいし、他の形式の発光装置を使用してもよい。また、説明の便宜上、「主」及び「副」の文字を使用したが、このことは副光源の光量が主光源の光量よりも小さいことを暗示するものではない。要するに、室内照明用照明器具１に固定されて特定の方向だけを照射する光源を主光源と呼び、室内照明用照明器具１のランプシェード４に移動自在に取り付けられて、照射方向を変えられる光源を副光源と呼ぶにすぎない。
【００２３】
また、本発明の室内照明用照明器具は、ペンダント型の照明器具には限定されない。壁掛け型であっても、床置き型、卓上型であってもよい。
【図面の簡単な説明】
【００２４】
【図１】本発明に係る室内照明用照明器具の外形図である。
【図２】前記室内照明用照明器具の副光源の移動とその照射方向の変化の関係を示す図である。
【符号の説明】
【００２５】
１  室内照明用照明器具
２  天井
３  蛍光ランプ
４  ランプシェード
５  ケーシング
６  配線器具
７  レール
８  発光ダイオード
９  アクチュエータ
【図１】
0005263939.tif 000002
【図２】
0005263939.tif 000003